(57)【特許請求の範囲】
【請求項１】
スパウトの一端部が取付部に着脱自在に取り付けられる水栓装置の施工方法であって、
水を吐出する吐水部材と、
前記スパウトの内部に挿通自在な管状部材と、
前記スパウト及び前記吐水部材を接続する接続部材と、
前記スパウトの一端が着脱自在に取付けられる台座と、を備え、
前記取付部に前記台座が固定された状態において、前記管状部材を前記スパウトの一端側から挿入し、
前記管状部材の他端側に設けられる前記吐水口部材を前記スパウトの他端部に接続部材を介して固定することを特徴とする水栓装置の施工方法。
【請求項２】
前記接続部材は、略円筒形状のスペーサであり、
前記接続部材は、前記吐水部材を覆うとともに、前記スパウトの内面と前記吐水部材の外面との間に介在させて、前記吐水部材を前記スパウトの他端部に接続することを特徴とする請求項１に記載の水栓装置の施工方法。
【請求項３】
前記スペーサは、複数に分割自在に形成され、
前記吐水部材を覆うように組み合わせることでスペーサを形成することを特徴とする請求項２に記載の水栓装置の施工方法。
【請求項４】
前記吐水部材の側面には、凹部が設けられ、
前記スペーサの内面には、凸部が設けられ、
前記スペーサは、前記凸部が前記凹部に入ることで、前記スパウトの内部に前記管状部材が挿通された状態で前記吐水部材に着脱自在に取り付けられる、ことを特徴とする請求項３に記載の水栓装置の施工方法。
【発明の詳細な説明】
【技術分野】
【０００１】
本発明は、水栓装置に関する。
【背景技術】
【０００２】
流し台や洗面台等のカウンターに設けられる水栓装置は、吐水ヘッドに接続された管状部材を保護等するために、管状部材を内部に挿通するスパウトを備えている。
【０００３】
例えば、特許文献１には、水栓装置において、スパウトの劣化や使用者の好み等に応じて、スパウトを新たなスパウトに交換する点が記載されている。この交換の際、特許文献１では、カウンター下にあるボルト止めやワッシャー等を取り外した後に、古いスパウトを、ボルトや管状部材、吐水部材、管部と共に上方に取り出している。
【先行技術文献】
【特許文献】
【０００４】
【特許文献１】特開２００７−２７０５３９号公報
【発明の概要】
【発明が解決しようとする課題】
【０００５】
しかしながら、特許文献１に記載の水栓装置では、上述のように、カウンター下での作業が多く発生するため、簡単にはスパウトを交換することができない。
【０００６】
そこで、本発明は、かかる課題の認識に基づいてなされたものであり、簡単にスパウトを交換することができる水栓装置を提供することを目的とする。
【課題を解決するための手段】
【０００７】
本発明の第１態様に係る水栓装置の施工方法は、スパウトの一端部が取付部に着脱自在に取り付けられる水栓装置の施工方法であって、水を吐出する吐水部材と、前記スパウトの内部に挿通自在な管状部材と、前記スパウト及び前記吐水部材を接続する接続部材と、前記スパウトの一端が着脱自在に取付けられる台座と、を備え、前記取付部に前記台座が固定された状態において、前記管状部材を前記スパウトの一端側から挿入し、前記管状部材の他端側に設けられる前記吐水口部材を前記スパウトの他端部に接続部材を介して固定することを特徴とする。またスパウトの一端部が台座を介して取付部に着脱自在に取り付けられる。この構成において、使用者は、スパウトの一端部を取付部から取り外すには、例えば取付部の上方からスパウトの一端部が台座に着脱自在に取り付けられているため、取付部の上方からスパウトを台座から取り外すことになる。したがって、取付部の下方で作業することなく、スパウトを取り外すことができるため、より簡単にスパウトを交換することができる。
【０００８】
この構成では、水栓装置の使用者は、水栓装置に取り付けられたスパウトを交換する際、接続部材がスパウト及び吐水部材に着脱自在に取り付けられているため、まず取付部の上方で接続部材をスパウトの他端部及び吐水部材から取り外して、スパウトと吐水部材との接続を解除する。次に、使用者は、スパウトの一端部が取付部に着脱自在に取り付けられているため、スパウトの一端部を取付部から取り外す。次に、使用者は、吐水部材が先端部に接続された管状部材を残したまま、取付部の上方で水栓装置からスパウトを他端部の先に向かって取り出す。そして、使用者は、新たなスパウトを上記手順の逆の手順で水栓装置に取り付ける。したがって、この構成によれば、取付部の上方でスパウトを取り出す際に、一緒に吐水部材及び管状部材を取り出す必要がない分、取付部の下方で管状部材を給水源から取り外す作業を省略してほぼ取付部の上方で作業（上面施工）ができるため、簡単にスパウトを交換することができる。
【００１１】
本発明の第２態様に係る水栓装置の施工方法では、前記接続部材は、略円筒形状のスペーサであり、前記接続部材は、前記吐水部材を覆うとともに、前記スパウトの内面と前記吐水部材の外面との間に介在させて、前記吐水部材を前記スパウトの他端部に接続することを特徴とする。
【００１２】
この構成によれば、スペーサをスパウトの内部に挿入して嵌めることで、スパウトの内面と吐水部材の外面との間に介在するようになる。この結果、簡単な構成の接続部材で、スパウト及び吐水部材を接続することができる。
【００１３】
本発明の第３態様に係る水栓装置の施工方法では、前記スペーサは、複数に分割自在に形成され、前記吐水部材を覆うように組み合わせることでスペーサを形成することを特徴とする。
【００１４】
この構成によれば、スペーサを分割することで、吐水部材からスペーサを簡単に取り外すことができるため、スパウト及び吐水部材の接続を容易に解除することができる。
【００１５】
本発明の第４態様に係る水栓装置の施工方法では、前記吐水部材の側面には、凹部が設けられ、前記スペーサの内面には、凸部が設けられ、前記スペーサは、前記凸部が前記凹部に入ることで、前記スパウトの内部に前記管状部材が挿通された状態で前記吐水部材に着脱自在に取り付けられる、ことを特徴とする。
【００１６】
この構成によれば、簡単な構成でスペーサが吐水部材に取り付けられるため、他端部及び吐水部材の接続も容易に解除することができる。
【００１７】
本発明の第６態様に係る水栓装置では、第１態様乃至第５態様の何れか１つの態様において、前記スパウトの内部に取り付けられ、人体の有無を検知する検知部と、前記検知部に接続され、前記スパウトの内部を通り前記取付部の下方に向かう配線と、前記取付部の下方に設けられ、前記配線に接続される制御部と、をさらに備える。
【００１８】
この構成によれば、使用者は、吐水部材が先端部に接続された管状部材及び配線を残したまま、取付部の上方で水栓装置からスパウトを他端部の先に向かって取り出すことができる。この結果、取付部の上方でスパウトを取り出す際に、一緒に配線を取り出す必要がない分、取付部の下方で配線を制御部から取り外す作業を省略することができる。また、配線を取り外す操作も必要ない為、誤配線による動作不良を抑制することが可能となる。
【発明の効果】
【００１９】
本発明の水栓装置によれば、簡単にスパウトを交換することができる。
【図面の簡単な説明】
【００２０】
【図１】本実施形態に係る水栓装置の正面図である。
【図２】図１に示す水栓装置のＡ−Ａ矢視断面図である。
【図３】水栓装置の分解斜視図である。
【図４】水栓装置の分解下面図である。
【図５Ａ】本実施形態に係る水栓装置の作用を説明する図である。
【図５Ｂ】図５Ａから続く、本実施形態に係る水栓装置の作用を説明する図である。
【図５Ｃ】図５Ｂから続く、本実施形態に係る水栓装置の作用を説明する図である。
【図５Ｄ】図５Ｃから続く、本実施形態に係る水栓装置の作用を説明する図である。
【発明を実施するための形態】
【００２１】
以下、本発明の実施の形態（以下、「本実施形態」と称す。）について図面を参照しつつ説明する。なお、各図面中、同様の構成要素には同一の符号を付して詳細な説明は適宜省略する。
【００２２】
＜水栓装置１０の構成＞
図１は、本実施形態に係る水栓装置１０の正面図である。
【００２３】
図１に示すように、水栓装置１０は、例えば、人体の有無を検知し、自動的に水栓の開閉制御を行う自動水栓装置である。
【００２４】
水栓装置１０は、洗面台や流し台等の不図示のボウルに隣接する取付部としてのカウンター１２に立設されている。この水栓装置１０は、主として、スパウト１４と、接続管１６と、吐水部材１８と、を備えている。
【００２５】
図２は、図１に示す水栓装置１０のＡ−Ａ矢視断面図である。
【００２６】
図２に示すように、カウンター１２には、接続管１６が通る貫通口１２Ａが設けられている。この貫通口１２Ａの上部縁部には、台座２０が取り付けられている。
【００２７】
台座２０の形状は、例えば輪形状である。台座２０の内径は、貫通口１２Ａの口径と略同一であり、台座２０の内部が貫通口１２Ａと重ね合わされて貫通口１２Ａと連通している。台座２０の内周面の一部には、貫通口１２Ａを通り下方に延びる棒体２０Ａが一体形成されている。
【００２８】
スパウト１４は、管状に形成され、一端部から他端部に向かって湾曲している。スパウト１４の一端部は、台座２０に嵌め込まれることで、スパウト１４がカウンター１２に着脱自在に取り付けられている。スパウト１４の他端部は、ボウルの上方に位置する。
【００２９】
スパウト１４の内部には、接続管１６が挿通されている。
【００３０】
接続管１６の一端部は、スパウト１４から出て、貫通口１２Ａを通り、その下方まで延びている。この接続管１６の一端部には、不図示の給水管（給水源）が接続され、当該給水管から水が供給される。また、接続管１６の他端部（先端部）には、吐水部材１８が接続されている。この接続管１６は、吐水部材１８と共にスパウト１４の一端部からスパウト１４の内部に挿通自在となっている。
【００３１】
吐水部材１８は、ボウルに離間対向するように、スパウト１４の他端部の内部に設けられている。吐水部材１８は、略円筒状に形成され、一端部が接続管１６の他端部と接続されている。吐水部材１８の他端部には、内部と連通した吐水口１８Ａが形成されている。
【００３２】
吐水部材１８は、この吐水口１８Ａから、接続管１６から内部に供給された水をボウルに向かって吐水する。
【００３３】
吐水部材１８の上方のスパウト１４内部には、検知部としての人体検知センサ２２が設けられている。人体検知センサ２２は、ボウル手前の一定の範囲において人体の有無を検知する。この人体検知センサ２２には、スパウト１４の内部を通りカウンター１２の下方に向かう不図示の配線の一端が接続されている。配線の他端には、カウンター１２の下方に設けられた制御部２４が接続される。制御部２４は、例えば、人体検知センサ２２の検知結果に応じて、吐水部材１８の吐水及び止水を切り替え制御する。
【００３４】
図３は、水栓装置１０の分解斜視図である。
【００３５】
図３に示すように、吐水部材１８は、接続部材としてのスペーサ２６を介してスパウト１４に接続される。
【００３６】
スペーサ２６は、スパウト１４の他端部及び吐水部材１８に着脱自在に取り付けられて、スパウト１４及び吐水部材１８を接続するものである。
【００３７】
このスペーサ２６は、吐水部材１８の全周を覆い、スパウト１４の内面と吐水部材１８の外面との間に介在する略円筒形状とされている。スペーサ２６の外径は、例えばスペーサ２６を吐水部材１８と共に他端部の内部に挿入して嵌め込むことができるように、スパウト１４の他端部の内径と略同一とされている。また、スパウト１４の内面には、スペーサ２６がスパウト１４の奥まで入りすぎないように、径方向に突出した突起部が設けられていてもよい。
【００３８】
また、スペーサ２６は、複数に分割自在とされている。本実施形態では、スペーサ２６は、軸方向に２つに分割自在とされ、それぞれ半円筒形状の分割片２６Ａと分割片２６Ｂとで構成される。
【００３９】
分割片２６Ａ及び分割片２６Ｂの内面には、それぞれ径方向内側に突出する凸部としての係合突起部２６Ｃが設けられている（分割片２６Ｂの突起部２６Ｃは不図示）。
【００４０】
各係合突起部２６Ｃは、例えばスペーサ２６の周方向よりも軸方向に長く形成されている。また、各係合突起部２６Ｃは、吐水部材１８の両側面に設けられた凹部としての２つの係合孔１８Ｂ（反対方向の係合孔１８Ｂは不図示）にそれぞれ挿入されることで（凸部が凹部に入ることで）係合される。この係合により、スペーサ２６は、スパウト１４の内部に接続管１６が挿通された状態で吐水部材１８に着脱自在に取り付けられる。
【００４１】
図４は、水栓装置１０の分解下面図である。
【００４２】
図４に示すように、分割片２６Ａと分割片２６Ｂの周方向一端部には、それぞれ板厚方向に貫通する半円形状の貫通孔３０Ａ、３０Ｂが設けられている。これらの貫通孔３０Ａ、３０Ｂは、分割片２６Ａと分割片２６Ｂの周方向両端部が重ね合わせられてスペーサ２６となったときに、貫通孔３０Ａ、３０Ｂが一体となって、螺子３２が挿入可能な一つの挿入孔３０が形成される。
【００４３】
螺子３２は、スパウト１４の他端部に設けられた挿入孔３４を通り、さらにスペーサ２６の挿入孔３０を通り、吐水部材１８に設けられた螺子孔３６に係合される。この係合により、スペーサ２６は、スパウト１４に着脱自在に取り付けられる。また、この係合により、スパウト１４とスペーサ２６と吐水部材１８とが固定される。
【００４４】
＜水栓装置１０の作用＞
次に、本実施形態に係る水栓装置１０の作用を説明する。図５Ａ〜図５Ｄは、本実施形態に係る水栓装置１０の作用を説明する図である。
【００４５】
水栓装置１０の使用者は、スパウト１４の劣化や使用者の好み等に応じて水栓装置１０に取り付けられたスパウト１４を新たなスパウトに交換したい場合がある。
【００４６】
この交換の際、まず図５Ａに示すように、スパウト１４の劣化や使用者の好み等に応じて水栓装置１０に取り付けられたスパウト１４を新たなスパウトに交換する際には、水栓装置１０の使用者は、まずカウンター１２の上方で、図２に示す完成品の状態の水栓装置１０から、螺子３２と螺子孔３６との係合を解除する。そして、カウンター１２の上方で、吐水部材１８を接続管１６と共に引っ張ることで、吐水部材１８をカウンター１２から露出させる。そして、吐水部材１８に取り付けられているスペーサ２６を、係合突起部２６Ｃと係合孔１８Ｂの係合を解除し分割して吐水部材１８から取り外す。これにより、スペーサ２６は、スパウト１４の他端部及び吐水部材１８から取り外され、スパウト１４と吐水部材１８との接続が解除される。ここで、スペーサ２６を分割することで、吐水部材１８からスペーサ２６を簡単に取り外すことができるため、スパウト１４及び吐水部材１８の接続を容易に解除することができる。また、係合突起部２６Ｃと係合孔１８Ｂの係合という簡単な構成でスペーサ２６が吐水部材１８に取り付けられるため、スパウト１４及び吐水部材１８の接続も容易に解除することができる。
【００４７】
次に、図５Ｂ及び図５Ｃに示すように、吐水部材１８が先端部に接続された接続管１６を残したまま、カウンター１２の上方で水栓装置１０からスパウト１４をその他端部の先（使用者側）に向かって取り出す。
【００４８】
この取り出しの際、カウンター１２の上方からスパウト１４の一端部が台座２０に着脱自在に取り付けられているため、カウンター１２の上方からスパウト１４を台座２０から取り外すことになる。したがって、カウンター１２の下方で作業することなく、上面施工でスパウト１４を取り外すことができるため、より簡単にスパウト１４を交換することができる。また、スパウト１４の交換を行っても台座２０の固定状態に影響はない為、全体がぐらつくなどの問題も抑制することが出来る。
【００４９】
次に、図５Ｄに示すように、使用者は、スパウト１４とは異なる新たなスパウト１４Ａを用意する。新たなスパウト１４Ａは、スパウト１４の種類や形状と同じであっても、異なる種類や形状であってもよい。そして、使用者は、新たなスパウト１４を上記手順の逆の手順で水栓装置１０に取り付ける。
【００５０】
具体的には、カウンター１２の上方において、新たなスパウト１４Ａを台座２０に取り付ける。そして、使用者は、カウンター１２の上方で、吐水部材１８を接続管１６と共に引っ張ることで、吐水部材１８をカウンター１２から露出させる。さらに使用者は、吐水部材１８が露出した状態で、分割片２６Ａ及び分割片２６Ｂの各係合突起部２６Ｃを係合孔１８Ｂに係合することによって、スペーサ２６を、スパウト１４の内部に接続管１６が挿通された状態で吐水部材１８に着脱自在に取り付ける。さらに使用者は、スペーサ２６を取り付けた吐水部材１８をスパウト１４の内部に挿入して嵌めることで、スペーサ２６をスパウト１４の内面と吐水部材１８の外面との間に介在させる。この状態において、使用者は、螺子３２を、挿入孔３４及び挿入孔３０に通して螺子孔３６に係合して、スペーサ２６をスパウト１４に着脱自在に取り付け、スパウト１４及び吐水部材１８を接続する。
【００５１】
以上、本実施形態に係る水栓装置１０によれば、カウンター１２の上方でスパウト１４を取り出す際に、一緒に吐水部材１８及び接続管１６を取り出す必要がない分、カウンター１２の下方で接続管１６を給水源から取り外す作業を省略してほぼカウンター１２の上方で作業（上面施工）ができるため、簡単にスパウト１４を交換することができる。また、吐水部材１８及び接続管１６を残すことができれば、人体検知センサ２２の配線も残しまま、カウンター１２の上方で水栓装置１０からスパウト１４を他端部の先に向かって取り出すことができる。この結果、カウンター１２の上方でスパウト１４を取り出す際に、一緒に配線を取り出す必要がない分、カウンター１２の下方で配線を制御部から取り外す作業を省略することができる。
【００５２】
特に、本実施形態では、使用者は、スパウト１４の一端部をカウンター１２から取り外すには、カウンター１２の上方からスパウト１４の一端部が台座２０に着脱自在に取り付けられているため、カウンター１２の上方からスパウト１４を台座２０から取り外すことになる。したがって、カウンター１２の下方で作業することなく、上面施工でスパウト１４を取り外すことができるため、より簡単にスパウト１４を交換することができる。また、スパウト交換を行うに当たり、水栓装置１０が備えるシール部材の再接続が必要なくなるため、施工ミスを低減することが可能となる。
【００５３】
＜変形例＞
以上、本願の開示する技術の実施形態について説明したが、本願の開示する技術は、上記に限定されるものではない。
【００５４】
例えば、螺子３２は、スパウト１４とスペーサ２６と吐水部材１８とを他の手段で固定することができれば、省略することができる。具体的には、スナップフィットなどで固定してもよい。また、スペーサ２６をスパウト１４に嵌め込むだけで固定してもよい。
【００５５】
また、水栓装置１０は、自動的に水栓の開閉制御を行う自動水栓装置である場合を説明したが、手動で水栓の開閉制御を行う水栓装置であってもよい。
【００５６】
また、スペーサ２６は、吐水部材１８の全周を覆う場合を説明したが、吐水部材１８の全周の一部を覆ってもよい。また、スペーサ２６の形状は、略円筒形状である場合を説明したが、内部が中空の四角柱状や三角柱状であってもよい。
【００５７】
また、スパウト１４の取付部としてカウンター１２を説明したが、カウンター１２に限られることなく、ボウルに直に取り付けられてよいし、縦壁等に設けられてもよい。
【００５８】
また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１０：水栓装置
１２：カウンター（取付部）
１４：スパウト
１４Ａ：スパウト（新たなスパウト）
１６：接続管
１８：吐水部材
１８Ｂ：係合孔（凹部）
２０：台座
２２：人体検知センサ
２４：制御部
２６：スペーサ（接続部材）
２６Ｃ：係合突起部（凸部）
【図１】
0006432215.tif 000002
【図２】
0006432215.tif 000003
【図３】
0006432215.tif 000004
【図４】
0006432215.tif 000005
【図５Ａ】
0006432215.tif 000006
【図５Ｂ】
0006432215.tif 000007
【図５Ｃ】
0006432215.tif 000008
【図５Ｄ】
0006432215.tif 000009